(57)【特許請求の範囲】
【請求項１】
異なる複数の場所にそれぞれ設置され、燃料・水・ガス・電気などの使用量を計測する複数の計測器と、
前記各計測器ごとに設けられ当該計測器の計測表示部を含む計測器を正面から一定時間ごとに撮影し、該撮影画像信号をデジタル信号に変換して出力する複数の撮像カメラと、
前記各撮像カメラから出力されるデジタル信号を計測器画像データとして前記計測器ごとに格納する画像記憶手段と、
ディスプレイ手段と、
前記画像記憶手段に格納された計測器画像データから前記計測表示部の表示画像データを計測器ごとに切り出し当該切り出された表示画像データを基に前記計測表示部に表示された数字をデジタル数値に変換するデジタル数値変換手段と、
前記デジタル数値変換手段で変換されたデジタル数値を計測器ごとに記憶するデジタル数値記憶手段と、
前記画像記憶手段に格納された前記各計測器の計測器画像データをアナログ信号に変換して前記ディスプレイ手段に出力することにより各計測器の最新の計測器画像を一括して分割表示する計測器選択画面を表示し、前記デジタル数値記憶手段に記憶された前記各計測表示部のデジタル数値をアナログ信号に変換して前記ディスプレイ手段に出力することにより各計測表示部の最新のデジタル数値を前記計測器画像に重畳させて表示する第１画像表示処理手段と、
入力手段と、
前記ディスプレイ手段に一括して分割表示された計測器選択画面上の前記計測器画像の１つを前記入力手段でクリックすることにより該クリックされた前記計測器画像に対応する計測器とデジタル数値を前記画像記憶部に格納された計測器画像データ及び前記デジタル数値記憶手段に記憶されたデジタル数値に基づいて前記ディスプレイ手段に拡大表示する第２画像表示処理手段と、
前記各撮像カメラをパン・チルト操作及びズーム操作する駆動手段と、
前記第２画像表示処理手段により前記ディスプレイ手段に拡大表示された画面上のカメラ設定ボタンを前記入力手段でクリックすることにより前記ディスプレイ手段を「カメラ位置設定」画面に変更表示する第３画像表示処理手段と、
前記駆動手段を制御する制御手段とを備え、
前記「カメラ位置設定」画面は、前記入力手段でクリックされるパン・チルト用の被写体設定ボタン、前記入力手段でクリックされる前記計測表示部の切り出し設定用カーソル、前記被写体設定ボタンのクリック時及び前記切り出し設定用カーソルのクリック時に前記入力手段でクリックされるパン・チルト及び切り出し用の操作ボタン、前記入力手段でクリックされるカメラズームボタンを有し、
前記被写体設定ボタンのクリック時に前記操作ボタンまたは前記カメラズームボタンを前記入力手段でクリックすることにより前記制御手段を介して前記駆動手段を制御することで前記各撮像カメラをパン・チルト操作及びズーム操作する用に構成されている、
ことを特徴とする計測器読取装置。
【請求項２】
前記計測器は、オイルタンクや貯水槽に設けられたレベルゲージからなり、前記デジタル数値変換手段は、前記レベルゲージの目盛数値から液面のレベルを算出してデジタル数値に変換することを特徴とする請求項１記載の計測器読取装置。
【請求項３】
前記各撮像カメラは、前記計測器を照明する照明灯を備え、前記照明灯は前記撮像カメラの撮像タイミングに合わせて点灯制御されることを特徴とする請求項１または２記載の計測器読取装置。
【請求項４】
前記「カメラ位置設定」画面は、前記ディスプレイ手段に表示された計測器画像の設置場所、年月日、表示数値、撮像カメラの撮像間隔を入力する記入欄を有することを特徴とする請求項１記載の計測器読取装置。
【請求項５】
前記計測器が設置されている場所の温度、湿度、降雨量、風力その他の気象に関する情報を測定する気象情報測定手段を更に備えることを特徴とする請求項１乃至４の何れか１項に記載の計測器読取装置。
【発明の詳細な説明】
【技術分野】
【０００１】
本発明は、計測器の読取装置に関し、さらに詳しくは、電気、ガス、水道などの計測器や石油タンクゲージ、貯水池の水位計などの各種計測器を計測器ごとに設けられた撮像カメラにより撮影し、その画像データを利用して各種計測器の表示情報の読み取りを可能にした計測器読取装置に関する。
【背景技術】
【０００２】
エネルギー使用の合理化に関する法律（省エネ法）は、石油危機を契機に１９７９年に制定された。この省エネ法は、エネルギーをめぐる経済的社会的環境に応じた燃料資源の有効な利用を確保するため、工場・事業場等についてのエネルギー使用の合理化に関する所要の措置などを講じることとし、国民経済の完全な発展に寄与することを目的としている。これに伴い、燃料・熱・ガス・電気などのエネルギーを一定規模以上使用する工場及び事業場を含めた企業全体の年間のエネルギー使用量を企業ごとに国へ届け出て、エネルギー管理指定企業の指定を受けなければならない、としている。
【０００３】
一方、省エネ法に基づく省エネ化に際しては、企業全体のエネルギー使用量を把握する必要がある。このためには、使用した燃料・水・ガス・電気ごとに企業全体のエネルギーの年間の使用量を計測・集計し、この使用量に燃料の発熱量、熱の係数、電気の換算係数を乗じて熱量を求め、これらを合計して年間に使用するエネルギー量を算出している。
【０００４】
電気、ガス、水道及び石油などの使用量を計測する手段には、工場、事業場及び営業所等に、電気、ガス、水道及び石油ごとに設けられた計測用メータが用いられている。例えば、ガスの使用量を計測するガスメータは、ガスの流量を計測するガス流量計測部と、ガス流量計測部で計測されたガスの流用に基づいてガスの消費量を積算する演算部と、演算部で演算されたガスの消費量をアナログ表示する表示部とから構成される。そして、演算部で演算されたガスの積算値データは電話回線を通して監視センターに送信される。監視センターでは、ガスの消費量を監視し、必要に応じて年間に使用するガスの使用量を把握できるようになっている（特許文献１参照）。また、このような計測方式は、電気、水道及び石油等の使用量を計測する計測器においても同様に採用することができる。
【先行技術文献】
【特許文献】
【０００５】
【特許文献１】特開２００１−３３０４９１号公報
【発明の概要】
【発明が解決しようとする課題】
【０００６】
ところで、工場、事業場及び営業所等で使用されている電気、ガス、水道などの計測器は、上述したガスメータのように計測された積算値データが電話回線を通して伝送される構成になっていないものがほとんどである。そこで、このような旧式の計測器を上述したガスメータのよう計測器に交換することが考えられるが、これらの交換に際しては、燃料・熱・ガス・電気等の供給設備及び施設を停止する必要がある。このことは、工場や事業場等の操業に影響を及ぼすという問題がある。
【０００７】
したがって、従来においては、作業者が計測器の設置場所に出向いて各計測器の表示値を書き取り、これを管理センターに持ち帰った後、この表示値を管理センターに設置されている端末装置を利用して手で入力するようにしていた。
【０００８】
しかし、このような手入力方式は、表示データの入力ミスが多く、多くの人手と手間を要するほか、各工場及び事業所の各計測装置で計測された計測情報を集計し、これを企業全体のエネルギーの年間使用量を把握するたものにはデータ不足となり、正確な省エネの評価に支障を来たすという問題がある。
【０００９】
本発明は、上述のような問題を解決するためにされたもので、電気、ガス、水道、燃料タンクなど、いかなる形式及び種類の計測器においても、これら計測器が表示する計測値を人手を要することなく正確かつ自動的に読み取り可能にし、併せて計測値を計測器の画像と共に表示できるようにした計測器読取装置を提供することを目的とする。
【課題を解決するための手段】
【００１０】
上記目的を達成するために請求項１の発明は、計測器読取装置であって、異なる複数の場所にそれぞれ設置され、燃料・水・ガス・電気などの使用量を計測する複数の計測器と、前記各計測器ごとに設けられ当該計測器の計測表示部を含む計測器を正面から一定時間ごとに撮影し、該撮影画像信号をデジタル信号に変換して出力する複数の撮像カメラと、前記各撮像カメラから出力されるデジタル信号を計測器画像データとして前記計測器ごとに格納する画像記憶手段と、ディスプレイ手段と、前記画像記憶手段に格納された計測器画像データから前記計測表示部の表示画像データを計測器ごとに切り出し当該切り出された表示画像データを基に前記計測表示部に表示された数字をデジタル数値に変換するデジタル数値変換手段と、前記デジタル数値変換手段で変換されたデジタル数値を計測器ごとに記憶するデジタル数値記憶手段と、前記画像記憶手段に格納された前記各計測器の計測器画像データをアナログ信号に変換して前記ディスプレイ手段に出力することにより各計測器の最新の計測器画像を一括して分割表示する計測器選択画面を表示し、前記デジタル数値記憶手段に記憶された前記各計測表示部のデジタル数値をアナログ信号に変換して前記ディスプレイ手段に出力することにより各計測表示部の最新のデジタル数値を前記計測器画像に重畳させて表示する第１画像表示処理手段と、入力手段と、前記ディスプレイ手段に一括して分割表示された計測器選択画面上の前記計測器画像の１つを前記入力手段でクリックすることにより該クリックされた前記計測器画像に対応する計測器とデジタル数値を前記画像記憶部に格納された計測器画像データ及び前記デジタル数値記憶手段に記憶されたデジタル数値に基づいて前記ディスプレイ手段に拡大表示する第２画像表示処理手段と、前記各撮像カメラをパン・チルト操作及びズーム操作する駆動手段と、前記第２画像表示処理手段により前記ディスプレイ手段に拡大表示された画面上のカメラ設定ボタンを前記入力手段でクリックすることにより前記ディスプレイ手段を「カメラ位置設定」画面に変更表示する第３画像表示処理手段と、前記駆動手段を制御する制御手段とを備え、前記「カメラ位置設定」画面は、前記入力手段でクリックされるパン・チルト用の被写体設定ボタン、前記入力手段でクリックされる前記計測表示部の切り出し設定用カーソル、前記被写体設定ボタンのクリック時及び前記切り出し設定用カーソルのクリック時に前記入力手段でクリックされるパン・チルト及び切り出し用の操作ボタン、前記入力手段でクリックされるカメラズームボタンを有し、前記被写体設定ボタンのクリック時に前記操作ボタンまたは前記カメラズームボタンを前記入力手段でクリックすることにより前記制御手段を介して前記駆動手段を制御することで前記各撮像カメラをパン・チルト操作及びズーム操作するように構成されていることを特徴とする。
【００１１】
請求項２の発明は、請求項１記載の計測器読取装置において、前記計測器は、オイルタンクや貯水槽に設けられたレベルゲージからなり、前記デジタル数値変換部は、前記レベルゲージの目盛数値から液面のレベルを算出してデジタル数値に変換することを特徴とする。
【００１２】
請求項３の発明は、請求項１または２記載の計測器読取装置において、前記各撮像カメラは、前記計測器を照明する照明灯を備え、前記照明灯は前記撮像カメラの撮像タイミングに合わせて点灯制御されることを特徴とする。
【００１５】
請求項４の発明は、請求項１記載の計測器読取装置において、前記「カメラ位置設定」画面は、前記ディスプレイ手段に表示された計測器画像の設置場所、年月日、表示数値、撮像カメラの撮像間隔を入力する記入欄を有することを特徴とする。
【００１６】
請求項５の発明は、請求項１乃至４の何れか１項に記載の計測器読取装置において、前記計測器が設置されている場所の温度、湿度、降雨量、風力その他の気象に関する情報を測定する気象情報測定手段を更に備えることを特徴とする。
【発明の効果】
【００１７】
本発明の計測器読取装置によれば、電気、ガス、水道、燃料タンクなど、いかなる形式及び種類の計測器においても、これら計測器が表示する計測値を人手を要することなく正確かつ自動的に読み取りことができ、併せて計測値を計測器の画像と共に表示できることにより、読み取った計測データのチェックが可能になり、入力ミスや異常数値を見つけ出すことができる。
【図面の簡単な説明】
【００１８】
【図１】本発明にかかる計測器読取装置の全体の構成図である。
【図２】本発明にかかる計測器読取装置の構成例を示すブロック図である。
【図３】本発明の計測器読取装置による各種計測器（メータ）の選択画面を示す説明図である。
【図４】本発明の計測器読取装置による任意１つの計測器画像を拡大して示す説明図である。
【図５】本発明の計測器読取装置による任意１つのカメラ位置設定及び計測器の設置場所、年月日、表示数値等の入力用の画面を示す説明図である。
【図６】本発明の計測器読取装置による任意１つの計測器の表示画面の他の表示形態を示す説明図である。
【図７】本発明の計測器読取装置に適用される計測器の他の実施の形態を示す説明図である。
【発明を実施するための最良の形態】
【００１９】
以下、本発明にかかる計測器読取装置の実施の形態について、図１乃至図５を参照して詳細に説明する。なお、本発明にかかる計測器読取装置は、以下に述べる実施の形態に限定されるものではない。
【００２０】
本実施の形態に示す計測器読取装置１００は、電気、ガス、水道などの計測器や石油タンクゲージ、貯水池の水位計などの各種計測器を計測器ごとに設けられた撮像カメラにより撮影し、その画像データを利用して各種計測器の表示情報の読み取りを行うもので、図１及び図３に示すように、工場や事業場等の本館の電気使用量を計測する電気計測器１１、本館の冷温水系ガスの使用量を計測する冷温水系ガス計測器１２、本館のコージェネ系ガスの使用量を計測するコージェネ系ガス計測器１３、本館の屋上電気の使用量を計測する電気計測器１４、本館の第２屋上ガスの使用量を計測する第２屋上ガス計測器１５Ａ、本館の第１屋上ガスの使用量を計測する第１屋上ガス計測器１５Ｂ、本館の重油タンク１６の使用量を表示するレベルゲージ１６ａ、本館の水道の使用量を計測する水計測器１７、テナントの電気使用量を計測する電気計測器１８、テナントのガス使用量を計測するガス計測器１９等を備える。
【００２１】
上記各計測器１１〜１５には、図１に示すように、これらの計測表示部１１ａ〜１５ａを含む計測器１１〜１５を正面から一定時間ごとに撮影し、この撮影画像信号をデジタル信号に変換して出力する撮像カメラ２１〜２５がそれぞれ対向配置されている。また、レベルゲージ１６には重油タンク１６を含むレベルゲージ１６ａを含む重油タンク１６を正面から一定時間ごとに撮影し、この撮影画像信号をデジタル信号に変換して出力する撮像カメラ２６が対向配置されている。さらに、計測器１７〜１９には、これらの計測表示部１７ａ〜１９ａを含む計測器１７〜１９を正面から一定時間ごとに撮影し、この撮影画像信号をデジタル信号に変換して出力する撮像カメラ２７〜２９がそれぞれ対向配置されている。
【００２２】
そして、これら撮像カメラ２１〜２９から出力される画像データはＬＡＮなどの通信回線３０を介して、工場や事業場等の本館の管理室などに設置された端末装置４０に伝送されるように構成されている。
【００２３】
また、各撮像カメラ２１〜２９は、撮像カメラ２１〜２９をそれぞれパン・チルト操作及びズーム操作する駆動手段３１〜３９を備えている。この各駆動手段３１〜３９は制御手段４０８により制御される。さらに、各撮像カメラ２１〜２９は、計測器１１〜１５及び１７〜１９をそれぞれ照明する照明灯５１〜５５及び５７〜５９と、重油タンク１６を照明する照明灯５６を備える。これら照明灯は撮像カメラ２１〜２９の撮像タイミングに合わせて点灯制御される構成になっている。
【００２４】
端末装置４０は、各撮像カメラ２１〜２９から伝送されてきた画像データを画像処理ソフトで分析し、計測表示部１１ａ〜１５ａ及び１７ａ〜１９ａのメータ数値またはレベルゲージ１６のレベル値をデジタル数値に変換し、これら数値は計測器または重油タンクの画像と共にディスプレイ部４０１（特許請求の範囲に記載したディスプレイ手段に相当する）に表示されるように構成されている。また、端末装置４０は、キーボード４０３ａ及びマウス４０３ｂからなる入力部４０３を備えている。
【００２５】
端末装置４０は、マイクロコンピュータによって構成することができる。
【００２６】
すなわち、マイクロコンピュータは、ＣＰＵと、バスラインを介して接続されたＲＯＭ、ＲＡＭ、インタフェースなどを含んで構成されている。ＲＯＭはＣＰＵが実行する処理または制御プログラムなどを格納し、ＲＡＭはワーキングエリアを提供する。ＣＰＵが前記処理または制御プログラムを実行することにより、図２に示すデジタル数値変換手段４０４、第１画像表示処理手段４０５、第２画像表示処理手段４０６、第３画像表示処理手段４０７、制御手段４０８が実現される。
【００２７】
また、ＲＡＭが図２に示す画像記憶手段４０９及びデジタル数値記憶手段４１０を構成する。
【００２８】
画像記憶手段４０９は、各撮像カメラ２１〜２９から出力されるデジタル信号を計測器画像データとして計測器１１〜１５、１７〜１９ごと、及びレベルゲージ１６ａごとに格納するものである。
【００２９】
デジタル数値変換手段４０４は、画像記憶手段４０９に格納された計測器画像データから計測表示部１１ａ〜１５ａ及び１７ａ〜１９ａの表示画像データを各計測器１１〜１５、１７〜１９ごとに切り出して当該切り出された表示画像データを基に計測表示部に表示された数字をデジタル数値に変換し、さらに、レベルゲージ１６ａのレベル値をデジタル数値に変換するものである。
【００３０】
第１画像表示処理手段４０５は、画像記憶手段４０９に格納された各計測器１１〜１５及び１７〜１９の計測器画像データをアナログ信号に変換してディスプレイ部４０１に出力することにより各計測器１１〜１５及び１７〜１９の最新の計測器画像と、重油タンク１６の画像とを一括表示する計測器選択画面４０１ａ（図３参照）を表示し、さらに、デジタル数値記憶手段４０４に記憶された各計測表示部１１ａ〜１５ａ及び１７ａ〜１９ａのデジタル数値と、レベルゲージ１６ａのデジタル数値とをアナログ信号に変換してディスプレイ部４０１に出力することにより各計測表示部１１ａ〜１５ａ及び１７ａ〜１９ａの最新のデジタル数値と、レベルゲージ１６ａの最新のデジタル数値とを計測器画像または重油タンク１６の画像に重畳させて表示するものである。
【００３１】
第２画像表示処理手段４０６は、ディスプレイ部４０１に一括して分割表示された計測器選択画面上の計測器画像の１つまたは重油タンク１６の画像を入力部４０３でクリックすることにより該クリックされた計測器画像または重油タンク画像に対応する計測器または重油タンク１６とデジタル数値を画像記憶手段４０９に格納された計測器画像データまたは重油タンク画像データ及びデジタル数値記憶手段４１０に記憶されたデジタル数値に基づいてディスプレイ部４０１に拡大表示するものである。
【００３２】
第３画像表示処理手段４０７は、第２画像表示処理手段４０６によりディスプレイ部４０１に表示された計測器選択画面４０１１（メイン画面）上のカメラ設定ボタン４０１ａを入力部４０３でクリックすることによりディスプレイ部４０１を図５に示すような「カメラ位置設定」画面４０１２に変更表示する。
【００３３】
前記「カメラ位置設定」画面４０１２は、入力部４０３でクリックされるパン・チルト用の被写体設定ボタン４０１ｂ、入力部４０３でクリックされる計測表示部の切り出し設定用カーソル４０１ｃ、４０１ｄ、被写体設定ボタン４０１ｂのクリック時及び切り出し設定用カーソル４０１ｃ、４０１ｄのクリック時に入力部４０３でクリックされるパン・チルト及び切り出し用の操作ボタン４０１ｅ、入力部４０３でクリックされるカメラズームボタン４０１ｆを有する。さらに、被写体設定ボタン４０１ｂのクリック時に操作ボタン４０１ｅまたはカメラズームボタン４０１ｆを入力部４０３でクリックして制御手段４０８で駆動手段３１〜３９を制御することにより各撮像カメラ２１〜２９をズーミングできるようになっている。
【００３４】
また、前記「カメラ位置設定」画面４０１２は、ディスプレイ部４０１に表示された計測器または重油タンク１６ａの設置場所、年月日、表示数値、撮像カメラの撮像間隔（例えば１２０分間隔）が記入される記入欄４０１３を有し、この記入欄４０１３への設置場所、年月日の記入はテンキーボタン４０１ｇを入力部４０３でクリック操作することで行われる。
【００３５】
また、計測器や重油タンクが設置されている工場や事業場等の場所の温度、湿度、降雨量、風力その他の気象に関する情報を測定する気象情報測定手段（電子百葉箱）５０が設置されている。この気象情報測定手段５０で測定された気象情報は前記計測値と共に集計されて管理センタ−に送信される構成になっている。
【００３６】
次に、本実施の形態に示す計測器読取装置の動作について説明する。
【００３７】
各撮像カメラ２１〜２９で一定時間ごとに撮像された各計測器１１〜１５と１７〜１９の画素信号及び重油タンク１６の画像信号はデジタル信号に変換された後、通信回線３０を介して端末装置４０に伝送される。そして、各撮像カメラ２１〜２９から出力されるデジタル信号は画像記憶手段４０９に計測器画像データとして計測器１１〜１５、１７〜１９ごと、及び重油タンク１６ごとに格納される。
【００３８】
ここで、夜間のように計測器や重油タンクの設置場所が暗く、これらの撮影に明るさが不足する場合は、撮像カメラ２１〜２５に設けられた照明灯５１〜５９が撮像カメラ２１〜２９の撮像タイミングに合わせて点灯され、計測器や重油タンクを照明する。これにより、計測器や重油タンク１６を鮮明は画像として撮影することができる。
【００３９】
一方、デジタル数値変換手段４０４では、画像記憶手段４０９に格納された計測器画像データから計測表示部１１ａ〜１５ａ及び１７ａ〜１９ａの表示画像データを各計測器１１〜１５及び１７〜１９ごとに切り出し、この切り出された表示画像データを基にして、計測表示部１１ａ〜１５ａ及び１７ａ〜１９ａに表示された数字をデジタル数値に変換する。同様にして、重油タンク１６の画像データからレベルゲージ１６ａに示された重油のレベル値を切り出し、デジタル数値に変換される。そして、変換された各デジタル数値はデジタル数値記憶手段４０４に記憶される。
【００４０】
なお、レベルゲージ１６ａに示された重油のレベルをデジタル数値化する場合は、例えば、重油タンク１６内の重油のレベル付近を重油タンク画像から切り出し画像データを基に重油レベル付近のレベルゲージ１６ａの目盛数字を認識する。そして、この目盛数字から重油レベルまでの数値を補間演算し、実際の重油レベルを求める。これにより、レベルゲージ１６ａに示されている実際のレベル値を認識することができる。また、重油レベルのデジタル数値化処理は上記方法に限らず、従来公知テーブルなどを用いた数値化処理方法を利用することが可能である。
【００４１】
また、第１画像表示処理手段４０５では、画像記憶手段４０９に格納された各計測器１１〜１５及び１７〜１９の計測器画像データをアナログ信号に変換してディスプレイ部４０１に出力することで、各計測器１１〜１５及び１７〜１９の最新の計測器画像と重油タンク１６の画像とを一括して分割表示する計測器選択画面４０１ａを、図３に示すように、ディスプレイ部４０１に表示する。これと同時に、デジタル数値記憶手段４０４に記憶された各計測表示部１１ａ〜１５ａ及び１７ａ〜１９ａが示す最新のデジタル数値と、レベルゲージ１６ａが示す最新のデジタル数値も計測器画像または重油タンク１６の画像に重畳されて表示される。
【００４２】
第２画像表示処理手段４０６では、ディスプレイ部４０１に一括して分割表示された計測器選択画面上の計測器画像の１つまたは重油タンク１６の画像を入力部４０３でクリックすると、例えば、第２屋上ガス計測器１５Ａの表示画像がクリックされると、この第２屋上ガス計測器１５Ａの計測器画像とデジタル数値が、図４に示すように、ディスプレイ部４０１に拡大表示される。
【００４３】
ここで、第１画像表示処理手段４０５によりディスプレイ部４０１に表示された計測器選択画面４０１１（メイン画面）上のカメラ設定ボタン４０１ａを入力部４０３でクリックされると、第３画像表示処理手段４０７が動作してディスプレイ部４０１に、図５に示すような第２屋上ガス計測器１５Ａに対する「カメラ位置設定」画面４０１２が表示される。
【００４４】
「カメラ位置設定」画面４０１２が表示されると、パン・チルト用の被写体設定ボタン４０１ｂ、切り出し設定用カーソル４０１ｃ、４０１ｄ、パン・チルト及び切り出し用の操作ボタン４０１ｅ、カメラズームボタン４０１ｆ及び計測器、例えば第２屋上ガス計測器１５Ａの設置場所、データ収集年月日、表示数値、撮像カメラの撮像間隔が記入される記入欄４０１３も表示される。
【００４５】
かかる状態において、パン・チルト用の被写体設定ボタン４０１ｂが入力部４０３でクリックされると、第２屋上ガス計測器１５Ａの撮像カメラ２５がパン・チルトモードに設定される。ここで、操作ボタン４０１ｅが入力部４０３でクリックされると、撮像カメラ２５がパン・チルト動作し、第２屋上ガス計測器１５Ａに対する撮像カメラ２５の向きを適正な位置に調整することができる。
【００４６】
また、切り出し設定用カーソル４０１ｃ及び４０１ｄの一方が入力部４０３でクリックされると、第２屋上ガス計測器１５Ａの撮像カメラ２５が計測表示部の切り出し設定モードに設定される。この状態で、操作ボタン４０１ｅが入力部４０３でクリックされると、第２屋上ガス計測器１５Ａの表示部に対する撮像カメラ２５の切り出し位置を適正に調整することができる。
【００４７】
また、カメラズームボタン４０１ｆが入力部４０３でクリックされると、第２屋上ガス計測器１５Ａの撮像カメラ２５がズーミングモードに設定される。この状態で、カメラズームボタン４０１ｆが入力部４０３でクリックされると、撮像カメラ２５が拡大または縮小方向に動作されるため、第２屋上ガス計測器１５Ａの表示画像を適正な大きさに調整することができる。また、図５に示す表示画面上に設けられたスキャンボタン４０１ｈが入力部４０３でクリックされると、第２屋上ガス計測器１５Ａの画像解析が行われ、その表示値のデジタル数字への変換処理が行われる。
【００４８】
また、記入欄４０１３の設置場所、年月日、表示数値、撮像カメラの撮像間隔を記入する場合は、入力部４０３で設置場所等の各項目を指定し、この状態で、テンキーボタン４０１ｇを入力部４０３であるマウス４０３ｂでクリック操作したり、または入力部４０３であるキーボード４０３ａを操作することで記入することができる。
【００４９】
また、第２屋上ガス計測器１５Ａの表示部１５ａに表示される計測数字は撮像カメラで一定の時間間隔で撮像されるごとにデジタル数値に変換され、デジタル数値記憶手段４０４に時系列で記憶されているため、このデジタル数値を利用すれば、図６に示すように、最新のデジタル数値から複数画面、例えば４画面前までのデジタル数値をディスプレイ部４０１に表示された第２屋上ガス計測器１５Ａの画像の上部に表示することができる。また、画面上のスクロールマーク４０１ｉを入力部４０３でクリックすることにより、過去の数値データの呼び出しが可能になる。
【００５０】
また、このような操作を行うことで、過去の数値データの推移を学習し、数値データの異常値やエラーを認識し通報することができる。さらに、日時による検索と上記スクロール機能により、過去の記録を簡単に呼び出すことができる。また、スキャンエリア小さく設定すること、画面上の画像サイズを小さくし、録画期間を増やすことができる。
【００５１】
なお、図４乃至図６に示す画面表示形態は、第２屋上ガス計測器１５ａの場合に限らず、冷温水系ガス計測器１２、コージェネ系ガス計測器１３、電気計測器１４、第１屋上ガス計測器１５ｂ、重油タンクのレベルゲージ１６ａ、水計測器１７、テナントの電気計測器１８、テナントのガス計測器１９などにおいても同様に行うことができる。
【００５２】
また、図７に示すように、浄水場に設置された廃水槽７１内に垂直に配置された水位計測定規７２と水位との位置を撮像カメラ７３で撮像し、この撮像された画像データを利用して、デジタル数値変換手段により水位計測定規７２の目盛数値から水位を算出してデジタル数値に変換することができる。この場合、撮像カメラ７３で撮像された廃水槽７１の水位に加えて、水質の状態を表示画面上で認識することができる。また廃水槽７１内を撮影カメラ７３で撮影できるため、廃水槽７１内の泡の状態、水の汚染状態等を監視することが可能になる。これにより、廃水槽７１内の処理水の放流タイミングなども監視することができる。
【００５３】
なお、水位計測定規７２に示された水位をデジタル数値化する場合は、例えば、廃水槽７１内の水位付近を廃水槽７１の画像から切り出し、この切り出し画像データを基に水位付近の水位計測定規７２の目盛数字を認識する。そして、この目盛数字から水位までの数値を補間演算して、実際の水位を求める。これにより、水位計測定規７２に示されている実際の水位値を認識することができる。また、水位のデジタル数値化処理は上記方法に限らず、従来公知のテーブルなどを用いた数値化処理方法を利用することが可能である。
【００５４】
このように本実施の形態に示す計測器読取装置によれば、電気、ガス、水道、燃料タンクなど、いかなる形式及び種類の計測器においても、これら計測器が表示する計測値を人手を要することなく正確かつ自動的に読み取りことができ、併せて計測値を計測器の画像と共に表示できることにより、読み取った計測データのチェックが可能になり、入力ミスや異常数値を見つけ出すことができる。
【００５５】
また、本実施の形態に示す計測器読取装置によれば、別々の撮像カメラで一定時間ごとに撮像された各計測器またはレベルメータや水位計測定規などの最新の静止画像と解析後の計測数値をディスプレイ部に複数に分割して一括表示するようにしたので、表示される画像を定期的に最新の画像に入れ替えることができ、常に現時点での最新の画像と最新の計測数値を表示することができる。
【００５６】
また、本実施の形態に示す計測器読取装置によれば、各計測器またはレベルメータや水位計測定規などのリアル画像と数値を視覚的に一覧表示できるため、使い易いＧＵＩ（グラフィカル・ユーザー・インタフェース）で、操作をスムーズに行うことができ、かつ、オペレータの手間を、特別な知識がなくとも運用できるほか、映像による直感的な情報収集が可能になる。
【符号の説明】
【００５７】
１００    計測器読取装置
１１      電気計測器
１２      冷温水系ガス計測器
１３      コージェネ系ガス計測器
１４      電気計測器
１５ａ    第２屋上ガス計測器
１５ｂ    第１屋上ガス計測器
１６      重油タンク
１６ａ    レベルゲージ
１７      水計測器
１８      電気計測器
１９      ガス計測器
２１〜２９  撮像カメラ
３０      通信回線
３１〜３９  駆動手段
５１〜５９  照明灯
４０１    ディスプレイ部
４０３    入力部
４０４    デジタル数値変換手段
４０５    第１画像表示処理手段
４０６    第２画像表示処理手段
４０７    第３画像表示処理手段
４０８    制御手段
４０９    画像記憶手段
４１０    デジタル数値記憶手段
５０      気象情報測定手段
７１      廃水槽
７２      水位計測定規
７３      撮像カメラ
【図１】
0005574734.tif 000002
【図２】
0005574734.tif 000003
【図３】
0005574734.tif 000004
【図４】
0005574734.tif 000005
【図５】
0005574734.tif 000006
【図６】
0005574734.tif 000007
【図７】
0005574734.tif 000008